(57)【要約】【課題】ペン先の毛細管力に関係せず、インキ吸蔵体に短時間で素早く容易にインキを補充できる筆記具及びインキ補充装置を提供する。【解決手段】ペン先２と、該ペン先２と接続されるインキ吸蔵体３と、該インキ吸蔵体３を内部に収容する軸筒４とからなる筆記具１であって、前記軸筒４の前方に開口し且つ前記軸筒４の内側と外側を連通させる空気孔５を設ける。前端開口部６１と後端開口部６２とを有し且つ外部よりインキ９をインキ吸蔵体３に導入可能なインキ補充路６を設ける。前端開口部６１をインキ吸蔵体３の前端部３１より前方に位置させる。後端開口部６２をインキ吸蔵体３によって閉鎖するように接続する。インキ補充時にインキ９の液面を前端開口部６１より後方に位置させる。【選択図】  図１
2004314618.tif 000002
【特許請求の範囲】
【請求項１】
少なくともペン先と、該ペン先と接続されるインキ吸蔵体と、該インキ吸蔵体を内部に収容する軸筒とからなる筆記具であって、前記軸筒の前方に開口し且つ前記軸筒の内側と外側を連通させる空気孔と、前端開口部と後端開口部とを有し且つ外部よりインキをインキ吸蔵体に導入可能なインキ補充路とを設け、前記インキ補充路の前端開口部を、前記インキ吸蔵体の前端部より前方に位置させ、前記インキ補充路の後端開口部を、前記インキ吸蔵体によって閉鎖するようにインキ吸蔵体と接続してなり、インキ補充時にインキ液面を前記前端開口部より後方に位置させ、前記インキ補充路よりインキ補充可能とした筆記具。
【請求項２】
前記空気孔の外側開口部及び前記インキ補充路の前端開口部を、前記インキ吸蔵体の前端部より前方に位置させると共に、前記インキ補充路の毛細管力を前記空気孔の毛細管力より大きく設定し、インキ補充時にインキ液面を前記外側開口部及び前端開口部より後方に位置させ、前記インキ補充路よりインキ補充可能とした請求項１記載の筆記具。
【請求項３】
内部にインキが収容された容器と、該容器内のインキが供給可能な筆記具とからなるインキ補充装置であって、前記容器が、容器本体と、上下両端に下端孔及び上端孔を有する筒部とからなり、前記下端孔を通して前記筒部内と前記容器本体内とが連通され、前記上端孔を通して前記筆記具のペン先側が挿入可能に構成され、前記筒部の内周面に前記筆記具の前端部外周面と環状に密接する環状密接部を設け、インキ補充時、ペン先を下向きにし、前記環状密接部をインキ液面よりも下方に位置させ、前記環状密接部よりも下方の筆記具のペン先側をインキ中に没入させてなることを特徴とするインキ補充装置。
【請求項４】
前記筒部と前記容器本体とを固着し、前記筒部の下端孔の下方に、上方に付勢され且つ前記下端孔を開閉する弁体を配置し、インキ補充時、筆記具のペン先側の押圧により、前記弁体が下方に移動し、前記筒部の下端孔が開口され、インキ補充しない時、前記弁体により前記下端孔が閉鎖される請求項３記載のインキ補充装置。
【請求項５】
前記筒部を前記容器本体に対して上下に移動可能に構成し、インキ補充しない時、前記環状密接部を、インキ液面よりも上方に位置させてなる請求項３記載のインキ補充装置。
【発明の詳細な説明】
【技術分野】
【０００１】
本発明は、筆記具及びインキ補充装置に関する。詳細には、軸筒内にインキ吸蔵体を有し且つ該インキ吸蔵体にインキ補充可能な筆記具及びインキ補充装置に関する。
【背景技術】
【０００２】
従来より、ペン先側をインキ容器内に挿入することで容易にインキ補充を行うことができる筆記具及びインキ補充容器が開示されている（特許文献１参照）。
【０００３】
【特許文献１】実開平６−８６９８０号明細書
【発明の開示】
【発明が解決しようとする課題】
【０００４】
前記実開平６−８６９８０号公報で開示される補充式筆記具及びインキ補充容器は、繊維、フェルト等の毛細管力を有するペン先をインキ中に浸すことで、ペン先からインキを吸収し、インキ吸蔵体に吸蔵するものであるため、ペン先の毛細管力のみでは充填に時間がかかってしまい、速やかにインキを補充することができない。
【０００５】
また、前記公報には、空気溝からもインキ補充ができる旨の記載もあるが、空気溝から吸引されたインキはペン先を伝ってインキ吸蔵体に貯蔵されると共に、ペン先及び空気溝からのインキ吸引と同時にインキ吸引量に相当する軸筒内部の空気を前記空気溝から外部へ放出するので、充填に長い時間が必要とされる。
【０００６】
本発明は、前記従来の問題点を解決するものであって、ペン先の毛細管力に関係せず、インキ吸蔵体に短時間で素早くインキを補充できる筆記具及びインキ補充装置を提供するものである。
【課題を解決するための手段】
【０００７】
（筆記具）
本発明の筆記具１は、少なくともペン先２と、該ペン先２と接続されるインキ吸蔵体３と、該インキ吸蔵体３を内部に収容する軸筒４とからなる筆記具１であって、前記軸筒４の前方に開口し且つ前記軸筒４の内側と外側を連通させる空気孔５と、前端開口部６１と後端開口部６２とを有し且つ外部よりインキ９をインキ吸蔵体３に導入可能なインキ補充路６とを設け、前記インキ補充路６の前端開口部６１を、前記インキ吸蔵体３の前端部３１より前方に位置させ、前記インキ補充路６の後端開口部６２を、前記インキ吸蔵体３によって閉鎖するようにインキ吸蔵体３と接続してなり、インキ補充時にインキ液面９１を前記前端開口部６１より後方に位置させ、前記インキ補充路６よりインキ補充可能としたこと（請求項１）を要件とする。更には、前記空気孔５の外側開口部５１及び前記インキ補充路６の前端開口部６１を、前記インキ吸蔵体３の前端部３１より前方に位置させると共に、前記インキ補充路６の毛細管力を前記空気孔５の毛細管力より大きく設定し、インキ補充時にインキ液面９１を前記外側開口部５１及び前端開口部６１より後方に位置させ、前記インキ補充路６よりインキ補充可能としたこと（請求項２）を要件とする。
【０００８】
前記請求項１記載の筆記具１は、下向きにしたペン先２側を補充用インキ９中に没入させると同時に、前端開口部６１を補充用インキ９中に没入させることにより、インキ補充路６の毛細管力と、インキ吸蔵体３の毛細管力を利用して、短時間で素早くインキ９を吸い上げて補充することができるものである。
【０００９】
前記「インキ吸蔵体」とは、繊維加工体または合成樹脂多孔質体からなり、インキを保持するものであると共に、インキ補充時においては、毛細管力により外部からインキ９を吸引するものである。前記繊維加工体としては、繊維束の樹脂加工体、繊維束の熱融着加工体、フェルトの樹脂加工体、フェルトのニードルパンチ加工体等の汎用のものが使用できる。また、前記合成樹脂多孔質体としては、ポリオレフィン系、ポリウレタン系、その他各種の合成樹脂の連続気孔体等の汎用のものが使用できる。
【００１０】
前記「空気孔」とは、前記軸筒４の前方に位置し、筆記によるインキの減少や温度変化等により、軸筒４内部の容積が変化した際に空気が出入りすると共に、インキ補充時においては、補充されたインキ量に相当する軸筒４内部の空気を容易に軸筒４外部に放出するための孔であり、前記軸筒４の前方に１又は複数設けられる。
【００１１】
前記「インキ補充路」とは、インキ補充時に外部からインキ吸蔵体３にインキ９を導入する導入部となるものであり、インキ吸蔵体３の前方部に当接する後端開口部６２と、該後端開口部６２より前方（ペン先２側）に位置する前端開口部６１を備えるように１本又は複数本設けられる。インキ吸蔵体３の前方部に前記後端開口部６２が覆われるように当接することで、インキ補充時にインキ補充路６とインキ吸蔵体３の毛細管力を用いて導入することができると共に、導入したインキ９を即座にインキ吸蔵体３に貯蔵できる。前記前端開口部６１は、ペン先２近傍に設けることがインキ補充時により有利であるので好ましい。前記インキ補充路６はインキ吸蔵体３より毛細管力が小さくなるように設けられればどのような材質、形状でもよい。
【００１２】
前記「ペン先」としては、ボールペン、サインペン、マーキングペン、万年筆等いずれの形態のものでも使用でき、特に、ペン先２から十分量のインキ９を補充できないボールペン等を用いた場合には本発明は効果的である。また、ペン先２に繊維加工体や合成樹脂多孔質体からなるものを用いた場合、インキ補充時の補充速度を著しく向上させることができる。
【００１３】
前記筆記具１にインキ９を補充する場合、ペン先２を下向きにし、ペン先２側から前記インキ補充路６の前端開口部６１より後方まで補充用インキ９中に没入することで、前記インキ補充路６及びインキ吸蔵体３の毛細管力を利用してインキ９が筆記具１中に吸引され、前記インキ吸蔵体３に保持される。その際、保持されたインキ９の容積と同量の軸筒４内の空気が、空気孔５を通って外部に放出される。特にペン先２が繊維加工体や合成樹脂多孔質体からなる場合、インキ補充路６からの吸引と共に、ペン先２からもインキ９が補充される。
【００１４】
前記請求項２記載の筆記具１は、ペン先２下向き状態で外側開口部５１と、該外側開口部５１を備える空気孔５より毛管力の強いインキ補充路６の前端開口部６１とを補充用インキ９に没入することにより、インキ補充路６とインキ吸蔵体３の毛細管力を利用してインキ補充路６から短時間で素早くインキ９を補充することができると共に、インキ補充量に相当する軸筒４内部の空気がインキ９中に放出され気泡を発生するので目視により補充状態を確認できるものである。
【００１５】
前記空気孔５は、前記インキ吸蔵体３の前端部より前方に位置し、筆記によるインキ９の減少や温度変化等により、軸筒４内部の容積が変化した際に空気が出入りすると共に、インキ補充時においては、前記空気孔５の毛細管力をインキ補充路６の毛細管力より小さくなるように設定することで、インキ補充路６から補充されたインキ量に相当する軸筒４内部の空気を外部の補充用インキ９中に放出するものである。インキ補充時にはインキ９から気泡が発生するが、インキ９の補充が完了すると空気孔５からの空気の放出が止まり、気泡の発生も止まる。前記空気孔５は、外側開口部５１を通して外部と連通し、内側開口部５２を通して軸筒４内部の空間と連通している。
【００１６】
前記空気孔５及びインキ補充路６は、空気孔５よりインキ補充路６の毛細管力が大きくなるように設けられればどのような形状でもよい。
【００１７】
更に、前記筆記具１を玩具用等に適用する場合、前記インキ９を水等の液体に変えて使用することもできる。
【００１８】
（インキ補充装置）
また、本発明は、内部にインキ９が収容された容器１１と、該容器１１内のインキ９が供給可能な筆記具１とからなるインキ補充装置１０であって、前記容器１１が、容器本体１２と、上下両端に下端孔１３ａ及び上端孔１３ｂを有する筒部１３とからなり、前記下端孔１３ａを通して前記筒部１３内と前記容器本体１２内とが連通され、前記上端孔１３ｂを通して前記筆記具１のペン先２側が挿入可能に構成され、前記筒部１３の内周面に前記筆記具１の前端部外周面と環状に密接する環状密接部１３ｄを設け、インキ補充時、ペン先２を下向きにし、前記環状密接部１３ｄをインキ液面９１よりも下方に位置させ、前記環状密接部１３ｄよりも下方の筆記具１のペン先２側をインキ９中に没入させてなること（請求項３）を要件とする。
【００１９】
前記請求項３に記載のインキ補充装置１０は、インキ補充時、前記環状密接部１３ｄよりも下方の筆記具１のペン先２側をインキ９中に没入させることにより、短時間で素早くインキ９を吸い上げて筆記具１内に補充することができる。また、前記請求項３に記載のインキ補充装置１０は、環状密接部１３ｄと筆記具１の前端部外周面とが環状に密接しているため、インキ補充時、前記環状密接部１３ｄのよりも上方の筆記具１外周面にインキ９を付着させるおそれがない。
【００２０】
また、前記請求項３に記載のインキ補充装置１０に用いる筆記具１は、請求項１に記載の筆記具が好ましい。それにより、インキ補充時、下向きにしたペン先２側を補充用インキ９中に没入させると同時に、前端開口部６１を補充用インキ９中に没入させることにより、インキ補充路６の毛細管力と、インキ吸蔵体３の毛細管力を利用して、短時間で素早くインキ９を吸い上げて補充することができる。
【００２１】
また、前記請求項３のインキ補充装置１０において、前記筒部１３と前記容器本体１２とを固着し、前記筒部１３の下端孔１３ａの下方に、上方に付勢され且つ前記下端孔１３ａを開閉する弁体１５を配置し、インキ補充時、筆記具１のペン先２側の押圧により、前記弁体１５が下方に移動し、前記筒部１３の下端孔１３ａが開口され、インキ補充しない時、前記弁体１５により前記下端孔１３ａが閉鎖されること（請求項４）が好ましい。それにより、インキ補充しない時は、筒部１３の下端孔１３ａが弁体１５により閉鎖されている。そのため、インキ補充しない時、インキ９が外部にこぼれるおそれがない。また、インキ補充時、前記環状密接部１３ｄのよりも上方の筆記具１外周面にインキ９を付着させることを、より一層、防止できる。もし、インキ補充しない時、下端孔１３ａが開口され、既に、インキ液面９１よりも下方に環状密接部１３ｄが位置していると、インキ補充時、環状密接部１３ｄのよりも上方の筆記具１外周面にインキ９を付着させるおそれがある。
【００２２】
また、前記請求項３のインキ補充装置１０において、前記筒部１３を前記容器本体１２に対して上下に移動可能に構成し、インキ補充しない時、前記環状密接部１３ｄを、インキ液面９１よりも上方に位置させてなること（請求項５）が好ましい。それにより、インキ補充時、前記環状密接部１３ｄのよりも上方の筆記具１外周面にインキ９を付着させることを、より一層、防止できる。もし、インキ補充しない時、既に、インキ液面９１よりも下方に環状密接部１３ｄが位置していると、インキ補充時、環状密接部１３ｄのよりも上方の筆記具１外周面にインキ９を付着させるおそれがある。
【発明の効果】
【００２３】
請求項１により、ペン先の毛細管力に関わらず外部からインキ吸蔵体に短時間で素早くインキを補充できる。
【００２４】
請求項２により、前端開口部及び外側開口部をインキ中に浸した場合においても、ペン先の毛細管力に関わらず外部からインキ吸蔵体に短時間で素早くインキを補充できるとと共に、補充用インキ中から気泡が発生することによりインキ補充状態を目視により確認できる。
【００２５】
請求項３により、ペン先の毛細管力に関わらず、筆記具に短時間で素早くインキを補充することができ、且つ、インキ補充時、環状密接部のよりも上方の筆記具外周面にインキを付着させるおそれがない。
【００２６】
請求項４により、インキ補充しない時、インキが外部にこぼれるおそれがなく、且つ、インキ補充時、環状密接部のよりも上方の筆記具外周面にインキを付着させることを、より一層、防止できる。
【００２７】
請求項５により、インキ補充時、環状密接部のよりも上方の筆記具外周面にインキを付着させることを、より一層、防止できる。
【発明を実施するための最良の形態】
【００２８】
本発明の実施の形態を図面に基づき説明する。
【００２９】
（筆記具）
図１は本発明筆記具１の一実施例における縦断面図であり、図２は図１のＡ−Ａ断面図である。
【００３０】
筆記具１は、繊維加工体からなるインキ吸蔵体３が、樹脂成形体である軸筒４の内部に形成されるリブ４２とその前端面３１が当接し、尾栓７により押圧されるように軸筒４の内部に収容されており、前記前端面３１に繊維加工体からなるマーキングペン形態のペン先２が突き刺し接続され、該接続部のインキ吸蔵体３は繊維が密になっている。
【００３１】
前記軸筒４と一体に形成されたペン先保持部４１と前記ペン先２との間に、ペン先２の取付溝の深さを調節することでインキ補充路６及び空気孔５が各３本ずつそれぞれひとつ置きに等間隔で配置され、インキ補充路６の毛細管力が空気孔５の毛細管力より大きくなるように、各々のインキ補充路６の横断面積を各々の空気孔５の横断面積より小さく設定し、前記インキ補充路６の後端開口部６２がインキ吸蔵体３の前端部３１に当接している。後端開口部６２がインキ吸蔵体３の毛細管力が強められたペン先２圧入部近傍に当接することで、より一層、インキ補充路６からインキ吸蔵体３への円滑なインキ供給が可能となり、インキ補充時の吸入時間が短縮される。ここではインキ補充路６の前端開口部６１から後端開口部６２まで同形状で形成しているが、後端開口部６２の断面積を小さくすることでより毛細管力を高めることもできる。また、ペン先２の取付溝の深さを調節する以外に取付溝の幅を調節したり、種々の断面形状とすることで断面積を変化させ、毛細管力を容易に調整できる。更に、パイプ等の別部材を用いて、端部をインキ吸蔵体３に当接又は突き刺しし、他端部を軸筒４外部に開放することによってもインキ補充路６を形成できる。
【００３２】
前記尾栓７には切欠７１が設けられており、インキ補充時には、筆記具１内部のインキ吸蔵体３後方の空気を、インキ吸蔵体３外面と軸筒４内面との間に形成された隙間８を通じて外側開口部５１よりインキ９中に放出され、筆記や温度変化により筆記具１内部の圧力が変化した際には、前記空気孔５を通じて容易に空気の出入りができる。
【００３３】
図３は本発明の筆記具１へのインキ補充方法の一実施例を示す縦断面図である。補充用インキ９の液面９１がインキ補充路６の前端開口部６１及び空気孔５の外側開口部５１より後方に位置するまで筆記具１のペン先２側をインキ９中に没入することで、インキ補充路６及びインキ吸蔵体３の毛細管力を利用し、インキ補充路６の前端開口部６１からインキ９が軸筒４内に導入され、インキ吸蔵体３に保持されると共に、筆記具１内部のインキ吸蔵体３後方の空気が尾栓７に設けられる切欠７１から隙間８を通じて前方に移動し、インキ補充路６の毛細管力より小さい毛細管力を有する空気孔５を通って外側開口部５１よりインキ９中に放出される。前記放出された空気はインキ９中から気泡となり、それを外部より視認することにより補充状態を確認できる。
【００３４】
（インキ補充装置）
・第１実施例
図４及び図５に本発明インキ補充装置１０の第１実施例を示す。図４は、非使用時のインキ補充装置１０を示す。図５は、使用時のインキ補充装置１０を示す。
【００３５】
本実施例のインキ補充装置１０は、容器１１と筆記具１とからなる。尚、前記筆記具１は、図１と同様の構成である。
【００３６】
前記容器１１は、容器本体１２と、該容器本体１２内に固着される中間筒部１４と、該中間筒部１４内に固着される筒部１３と、該筒部１３の下端部の下方に配置される弁体１５とからなる。前記容器本体１２は、上端に開口部１２ａを備えた有底筒体よりなる。前記容器本体１２の底部には、凹部１２ｂが形成される。
【００３７】
前記中間筒部１４は、両端が開口され、下端部が前記容器本体１２の凹部１２ｂに圧入固着され、上端部が、容器本体１２の開口部１２ａに圧入固着される。前記中間筒部１４の側壁には、連通孔１４ａが貫設される。また、前記中間筒部１４の下端部の内面には、バネ止め１４ｂが形成される。
【００３８】
前記筒部１３の上下両端には、下端孔１３ａと上端孔１３ｂが形成される。筒部１３の下端部は漏斗状となっている。前記筒部１３の内面には、筆記具１の肩部４３と当接可能な当接壁部１３ｃ（例えば、リブまたは溝を有する段部）が形成される。前記下端孔１３ａの内周面は、軸筒４のペン先保持部４１の外周面と環状に密接する環状密接部１３ｄとなる。また、前記上端孔１３ｂの内径は、筆記具１の前部が挿入可能なよう、筆記具１前部の外径より僅かに大きく設定される。
【００３９】
前記下端孔１３ａの下方の容器本体１２内には、有底筒体よりなる弁体１５が上下方向に移動可能に配置される。前記弁体１５は、バネ１６（例えば、圧縮コイルスプリング）により上方に付勢され、筒部１３の下端孔１３ａを閉鎖する。前記容器本体１２内面と、筒部１３外面及び弁体１５外面との間に、インキ９が貯溜される。
【００４０】
前記弁体１５の上端開口部は、筒部１３の漏斗状下端部の外周面に密接され、それにより、下端孔１３ａが閉鎖される。また、前記弁体１５の上端開口部より下方の内面には当接壁部１５ａ（例えば、リブまたは溝を有する段部）が形成される。インキ補充時、弁体１５内部には、筆記具１のペン先２が挿入され、軸筒４の肩部４３と筒部１３の当接壁部１３ｃとが当接されると同時に、前記弁体１５の当接壁部１５ａと軸筒４のペン先保持部の４１の前端部とが当接される。そして、筆記具１を下方に押圧することにより、弁体１５が下方に移動し、筒部１３の下端孔１３ａが開口される。前記筒部１３の下端孔１３ａの開口に伴い、インキ９が筆記具１に供給される。また、インキ補充しない時、弁体１５が下端孔１３ａを閉鎖するため、インキ９が外部にこぼれるおそれがない。
【００４１】
筆記具１は、図１と同様の構成であるため、インキ補充時、筆記具１をペン先下向き状態で、前記空気孔５の外側開口部５１と、前記インキ補充路６の前端開口部６１とを、補充用インキ９中に没入することにより、インキ補充路６とインキ吸蔵体３の毛細管力を利用してインキ補充路６から短時間で素早くインキ吸蔵体３にインキ９を補充することができると共に、インキ補充量に相当する軸筒４内部の空気をインキ９中に放出させる。
【００４２】
本実施例では、容器本体１２を透明材料により構成することにより、前記放出された空気（気泡）を視認でき、インキ補充状態を確認できる。
【００４３】
また、本実施例は、環状密接部１３ｄよりも上方の筆記具１外周面（即ちペン先保持部４１上方の軸筒４外面）に補充用インキ９が付着する（筆記具１外周面が汚れる）おそれがない。
【００４４】
・第２実施例
図６及び図７に本発明インキ補充装置１０の第２実施例を示す。図６は、非使用時のインキ補充装置１０を示す。図７は、使用時のインキ補充装置１０を示す。
【００４５】
本実施例のインキ補充装置１０は、容器１１と筆記具１とからなる。尚、前記筆記具１は、図１と同様の構成である。
【００４６】
前記容器１１は、容器本体１２と、該容器本体１２内に上下に移動可能に挿入配置される筒部１３とからなる。前記容器本体１２は、上端に開口部１２ａを備えた有底筒体よりなる。前記容器本体１２の底部には、凹部１２ｂが形成される。
【００４７】
前記筒部１３は、前記容器本体１２の開口部１２ａに上下に摺動可能に挿入配置される。前記筒部１３は、バネ１６（例えば、圧縮コイルスプリング）により上方に付勢されている。前記筒部１３の上下両端には、下端孔１３ａと上端孔１３ｂが形成される。筒部１３の下端部は漏斗状となっている。前記筒部１３の内面には、筆記具１の肩部４３と当接可能な当接壁部１３ｃ（例えば、リブまたは溝を有する段部）が形成される。前記下端孔１３ａの内周面は、軸筒４のペン先保持部４１の外周面と環状に密接する環状密接部１３ｄとなる。また、前記上端孔１３ｂの内径は、筆記具１の前部が挿入可能なよう、筆記具１前部の外径より僅かに大きく設定される。
【００４８】
非使用時（インキ補充しない時）は、筒部１３の環状密接部１３ｄは、インキ液面９１より上方に位置しており、インキ９と接触していない。使用時（インキ補充時）、バネ１６の上方付勢に抗して筆記具１のペン先２側を下方へ押圧することにより、筒部１３が下方に移動し、環状密接部１３ｄがインキ液面９１より下方に位置され、環状密接部１３ｄより下方の筆記具１のペン先２側がインキ９中に没入される。
【００４９】
筆記具１は、図１と同様の構成であるため、インキ補充時、筆記具１をペン先下向き状態で、前記空気孔５の外側開口部５１と、前記インキ補充路６の前端開口部６１とを、補充用インキ９中に没入することにより、インキ補充路６とインキ吸蔵体３の毛細管力を利用してインキ補充路６から短時間で素早くインキ吸蔵体３にインキ９を補充することができると共に、インキ補充量に相当する軸筒４内部の空気をインキ９中に放出させる。
【００５０】
本実施例では、容器本体１２を透明材料により構成することにより、前記放出された空気（気泡）を視認でき、インキ補充状態を確認できる。
【００５１】
また、本実施例は、環状密接部１３ｄよりも上方の筆記具１外周面（即ちペン先保持部４１上方の軸筒４外面）に補充用インキ９が付着する（筆記具１外周面が汚れる）おそれがない。
【図面の簡単な説明】
【００５２】
【図１】本発明の筆記具の一実施例を示す縦断面図である。
【図２】図１におけるＡ−Ａ線断面図である。
【図３】本発明の筆記具のインキ補充方法の一実施例を示す縦断面図である。実線の矢印はインキの流れを表し、点線の矢印は空気の流れを表す。
【図４】本発明のインキ補充装置の第１実施例の非使用時の縦断面図である。
【図５】本発明のインキ補充装置の第１実施例の使用時の縦断面図である。
【図６】本発明のインキ補充装置の第２実施例の非使用時の縦断面図である。
【図７】本発明のインキ補充装置の第２実施例の使用時の縦断面図である。
【符号の説明】
【００５３】
１  筆記具
２  ペン先
３  インキ吸蔵体
４  軸筒
４１  ペン先保持部
４２  リブ
４３  肩部
５  空気孔
５１  外側開口部
５２  内側開口部
６  インキ補充路
６１  前端開口部
６２  後端開口部
７  尾栓
７１  切欠
８  隙間
９  インキ
９１  液面
１０  インキ補充装置
１１  容器
１２  容器本体
１２ａ  開口部
１２ｂ  凹部
１３  筒部
１３ａ  下端孔
１３ｂ  上端孔
１３ｃ  当接壁部
１３ｄ  環状密接部
１４  中間筒部
１４ａ  連通孔
１４ｂ  バネ止め
１５    弁体
１５ａ  当接壁部
１６  バネ
【図１】
2004314618.tif 000003
【図２】
2004314618.tif 000004
【図３】
2004314618.tif 000005
【図４】
2004314618.tif 000006
【図５】
2004314618.tif 000007
【図６】
2004314618.tif 000008
【図７】
2004314618.tif 000009